(57)【特許請求の範囲】
【請求項１】
略矩形の一枚の段ボール１００を、折り目に沿って折曲させるだけで、十文字形の中仕切を一体に備えた箱状のトレー２００が折上がる様にしたものであって、
前記段ボール１００は、
方形の中央面１の両側辺に、左右側壁２，３、一半側底面４，５及び縦仕切６，７を、夫々、主折り目Ａ、折り目Ｃ及び折り目Ｄを介して順次連設した形態を備えており、
前記中央面１には、前後側壁８，９及び二枚重ねされた横仕切１０，１１を、夫々切起状に起立形成させる為の、複数の切起用切れ目１２を、前記主折り目Ａ，Ａ間に跨がらせて並列状に設け、
前記左右側壁２，３には、前記前後側壁８，９及び横仕切１０，１１を起立させる起立用補助片１３を形成させる為の、斜め折り目Ｅ及びＬ形切れ目１４を設けると共に、２つ折用折り目Ｂを設け、
前記段ボール１００からトレー２００を折上げる際に、
前記各側壁と仕切とが互いに干渉する夫々の箇所に、嵌合用切れ目１７，１８を設け、
更に、前記前後側壁８，９には、係止孔３１を有する係止片３０を設け、前記縦仕切６，７には、前記係止孔３１に挿嵌させる突片３３を設けたことを特徴とする苺パック用トレー。
【請求項２】
前記係止孔３１は、Ｈ形に形成された切れ目から成ることを特徴とする請求項１記載の苺パック用トレー。
【請求項３】
前記一半側底面４，５の抜け落ちを防ぐ為に、前記前後側壁８，９の各下縁には、係止突片２０を折り目Ｆを介して連設すると共に、前記折り目Ｄの両端箇所には、前記係止突片２０を挿嵌させる切欠部２１を設けたことを特徴とする請求項１又は２記載の苺パック用トレー。
【発明の詳細な説明】
【０００１】
【発明の属する技術分野】
本発明は、所定の複数箇所に折り目や切れ目を設けた１枚の段ボールを、折り目に沿って折曲させるだけで、十文字状の中仕切を一体に備えた箱状のトレーが一挙に折上がり、例えば、パック詰苺を４箱づつまとめて梱包する等の使用目的に好適した苺パック用トレーに関する。
【０００２】
【従来の技術】
本願出願人は、上記のパック詰苺等に用いる梱包用トレーに就いて、先に、「特願平３−２９９９４７号」、「特願平３−３５９２００号」、「特願平７−２６５５２２号」、「特願平８−４４６４４号」及び「特願平８−１２８２１８」等を特許出願している。
上記の各先願発明ものは、各れも、唯１枚の段ボールを折り目に沿って折曲させるだけで、十文字形の中仕切を一体に備えたトレーが一挙に折上がる様に構成されており、従来技術の様に、トレーと中仕切材とを別個に作った上、両者を組み合わせるという繁雑な手間が省けて、梱包コストの目立った低減が達成されるという優れた特徴を備えている。
【０００３】
そして、トレーを複数段積み重ねてバンド掛けし、一梱包にまとめた場合に、運搬途中に各段のトレー相互が横ずれしない様に、各トレーの上縁及び底面に、互いに係合する係止突片と係合孔とを設けている。
又、中仕切の２枚重ね構造を利用して、４パック入トレーを、２パック入トレーに二分割する為のミシン目も設けている。
【０００４】
或は、上記のバンド掛けによってトレーが変形し苺が傷むのを防ぐ対策、トレーの折上の際の嵌合操作をスムーズに行える様にする対策や、鮮度保持の為の冷蔵中に冷気がトレー内に行き亙り易くする対策等も講じている。
【０００５】
更には、１枚の段ボールから、嵌合方式でトレーを折上げると、縦仕切の両端部がトレー側壁の外にはみ出してバンド掛けを邪魔するので、このはみ出し部分を折り曲げて固定したり、底面片の抜け落ちを確実に防止する為の、係止突片を設ける等の対策も講じて来た。
【０００６】
その後一段と改良を重ね、トレーの外周りに、嵌合組立に由来する突片が全く現れない様にして、外観をスマートにすると共に、無用に嵩張らない様にしたトレーに発展させて来た。
【０００７】
然しながら、このトレーにも、なお改良すべき余地が残されていた。
と言うのは、トレーの側壁面と、中仕切の側端とが単に当接されているだけの箇所があり、この箇所がトレーの構造強度上の弱点になっていた。
【０００８】
そこで、本発明の目的は、一枚の段ボールから、十文字形の中仕切を一体に形成させたトレーを簡単迅速に折上げられると共に、中仕切の各側端と、トレーの側壁面との当接箇所の総てが確実に係合されて、十分な構造強度を備えた苺パック用トレーを提供するにある。
【０００９】
【課題を解決するための手段】
上記の目的を達成する為の、本発明による苺パック用トレーは、略矩形の一枚の段ボール１００を、折り目に沿って折曲させるだけで、十文字形の中仕切を一体に備えた箱状のトレー２００が折上がる様にしたものであって、前記段ボール１００は、方形の中央面１の両側辺に、左右側壁２，３、一半側底面４，５及び縦仕切６，７を、夫々、主折り目Ａ、折り目Ｃ及び折り目Ｄを介して順次連設した形態を備えており、前記中央面１には、前後側壁８，９及び二枚重ねされた横仕切１０，１１を、夫々切起状に起立形成させる為の、複数の切起用切れ目１２を、前記主折り目Ａ，Ａ間に跨がらせて並列状に設け、前記左右側壁２，３には、前記前後側壁８，９及び横仕切１０，１１を起立させる起立用補助片１３を形成させる為の、斜め折り目Ｅ及びＬ形切れ目１４を設けると共に、２つ折用折り目Ｂを設け、前記段ボール１００からトレー２００を折上げる際に、前記各側壁と仕切とが互いに干渉する夫々の箇所に、嵌合用切れ目１７，１８を設け、更に、前記前後側壁８，９には、係止孔３１を有する係止片３０を設け、前記縦仕切６，７には、前記係止孔３１に挿嵌させる突片３３を設ける構成とした。そして、前記係止孔３１は、Ｈ形の切れ目を設けることによって、形成させるとよい。更に、前記一半側底面４，５の抜け落ちを防ぐ為に、前記前後側壁８，９の各下縁には、係止突片２０を折り目Ｆを介して連設すると共に、前記折り目Ｄの両端箇所には、前記係止突片２０を挿嵌させる切欠部２１を設けるとよい。
【００１０】
【発明の実施の形態】
以下に、図１〜図５を参照しながら、本発明の一実施例を説明する。
図５に斜視図として示した、この実施例の苺パック用トレー（以下、単にトレーと言う）２００は、図１及び図２に示した唯一枚の段ボール１００を、折り目に沿って折曲させるだけで、この形態に簡単・迅速に折上げられる。
【００１１】
略矩形状をした段ボール１００には、所定の複数箇所に折り目や切れ目等を設けてあるので、それ等の設け方に就いて以下に詳述する。
段ボール１００は、その左右方向（図１中で）の中央部を占める方形域を中央面１とし、その左右両側辺には、トレー２００の左右の側壁となる左右側壁２及び３を、夫々主折り目Ａを介して連設している。
この左右側壁２，３は、二枚重ね状に折り曲げて側壁を補強する為と、後述する印刷の便の為に、２つ折用折り目Ｂを設けている。
【００１２】
左右側壁２及び３の各側端には、トレー２００の底面の各一半部分となる一半側底面４及び５を、夫々折り目Ｃを介し連設している。
更に、各一半側底面４及び５の各側端には、十文字形の中仕切の一方の仕切を構成する縦仕切６及び７を、夫々折り目Ｄを介して連設している。両縦仕切６，７は、トレー２００を折上げると図４，５に示した様に二枚重ね状態になる。
【００１３】
中央面１には、トレー２００の前後側壁８及び９と、十文字形の中仕切の他方の仕切を構成する２枚重ね状の横仕切１０及び１１とを、夫々切起状に起立形成させる為に、計５条の切起用切れ目１２を、図示の配置を以て、両主折り目Ａ，Ａ間に跨がらせて並列状に設けている。
【００１４】
そして、左右側壁２，３には、前後側壁８，９及び横仕切１０，１１の夫々の起立を助ける役割を果す、台形をした起立用補助片１３を、前後側壁８，９及び横仕切１０，１１の各両側端に、主折り目Ａを介して連なる状態で夫々形成させている。
【００１５】
この起立用補助片１３は、前後側壁８，９の各上縁部、及び真ん中の切起用切れ目１２の両端から、主折り目Ａに対して４５度の角度で伸びる所定長さの斜折り目Ｅと、この斜折り目Ｅの先端から隣接する切起用切れ目１２の末端に向けて延びるＬ形切れ目１４とに囲まれて形成されている。
斜折り目Ｅには、裏側に半切線を設けて、起立用補助片１３をよりスムーズに起立させ易い様にしている。
【００１６】
前後側壁８，９の上縁の両端部には、折上がったトレ２００の上縁四隅に夫々突出させる係止片１５を、主折り目Ａの左右両側に跨がらせて設けている。
一方、前後側壁８，９の下縁の両端部及び２つ折用折り目Ｂの両端部には、係止片１５を挿嵌させる切欠部１６及び１６ａを設けている。
【００１７】
更に、トレーの折上げ過程で、一半側底面４，５、縦仕切６，７及び横仕切１０，１１が互いに干渉するのを避ける為に、横仕切１０，１１の上縁側中央部に嵌合用切れ目１７を、そして、２つ折用折り目Ｂと折り目Ｄの各中央部間に跨がらせて、且つ、折り目Ｄの外側に幾分はみ出す様にして、スリット状の嵌合用切れ目１８を設けている。
嵌合用切れ目１８が左右側壁２，３に跨がる箇所には、嵌合操作をスムーズに行える様にする為の拡径部１８ａを設けている。
【００１８】
前後側壁８，９の下縁中央部には、一半側底面４，５を抜止めする役割を果たす係止突片２０を、折り目Ｆを介して連設している。係止突片２０の前縁中央部には小切欠２０ａを設けている。
又、折り目Ｄの両端には、係止突片２０との干渉を避ける為の切欠部２１を設けている。
【００１９】
更に、前後側壁８，９の上縁中央部には、係止孔３１を有する係止片３０を折り目Ｇを介して連設している。
一方、縦仕切６，７の上縁の両側端には、係止孔３１に挿嵌させる突片３３を形成させている。３２は、突片３３を形成させる為の台形の切欠部である。
Ｈ形の切れ目から成る係止孔３１は、突片３３の上に押しつけることによって観音扉を開く様にして強制的に拡開される。
尚、係止片３０の横幅は、図示の寸法に限られず、前後側壁８，９の全幅に近い長さにしてもよい。
【００２０】
又、前後側壁８，９の各上縁中央部に設けた嵌合用切れ目１７には、その一方の側縁部に、縦仕切６，７の上縁中央部に設けた切欠部３４に係合させると突片３５を形成させ、嵌合用切れ目１７の他方の側縁部は、切れ目の始端に向けて楔状に拡幅させて、嵌合操作の容易化を図っている。
縦仕切６，７の上縁には、トレーを低温流通させる際に、冷気の流れを良くする為の通気用切欠３６を、２箇所に設けている。
【００２１】
中央面１に設けた真ん中の切起用切れ目１２の左右両側には、段ボール１００の左右両端に達するミシン目Ｋを夫々設けて、トレー２００を二分割可能にしている。
【００２２】
次に、上記構成の作用を説明する。
段ボール１００からトレー２００を折上げるには、
先ず、中央面１の左右両側を両手で持って、両主折り目Ａ，Ａを一旦下向きに折曲させて、下向きの折り癖をつける。
【００２３】
次いで、両主折り目Ａ，Ａを上向きに折曲させて図３に示した様に、左右側壁２，３を起立させると、前後側壁８，９及び横仕切１０，１１が左右側壁２，３間で圧迫されるのに伴って、主折り目Ａが下向きに、そして、斜折り目Ｅは上向きに折曲される。
その為、前後側壁８，９及び横仕切１０，１１は、自ずから起立される。
【００２４】
そこで、図３，図４に示した様に、左右側壁２，３を、２つ折用折り目Ｂに沿って内側向きに二枚折り重ねに状に折曲させながら、折り目Ｃ及びＤを夫々内側向きに直角に折曲させて行くと、起立された前後側壁８，９及び横仕切１０，１１と、左右側壁２，３、一半側底面４，５及び縦仕切６，７とが、互いに干渉する夫々の箇所に設けた嵌合用切れ目１７，１８が互いに噛み合って、図４に示した様に、十文字状の中仕切を一体に備えたトレー２００の形状が折上がり、且つ、この折上形状が略固定される。
【００２５】
そこで更に、図４，図５に示した様に、前後側壁８，９の下縁に突設した各係止突片２０を、夫々折り目Ｆに沿って内向きに直角に折曲さながら、縦仕切６，７の各側端に切欠部２１に設けてある切欠部２１に夫々挿嵌させれば、一半側底面４，５は確実に抜止めされる。
【００２６】
そして、最後に前後側壁８，９の上縁に設けた係止片３０を、既述の如く、折り目Ｇに沿って内側に直角に折り曲げれば、縦仕切６，７の両側端に設けた突片３３が、係止孔３１に挟み込まれた状態で挿嵌されて、トレー２００の折上作業は総て完了する。
上述の一連の折上げ操作は、言葉で表現すれば甚だ煩雑に感じられるが、実際には極めて簡単・迅速終えることが出来る。
【００２７】
折上がったトレー２００は、十文字形中仕切を構成する横仕切１０，１１の各両側端が、二枚重ねされた左右側壁２，３の内壁側の嵌合用切れ目１８に挿嵌され、縦仕切６，７の各両側端は、上述の如く前後側壁８，９に確実に係合された状態になる。
更に、縦仕切６，７と横仕切１０，１１との噛み合い箇所では、既述の如く、それ等の各々に設けた切欠部３４と突片部３５とが、互いに係合された状態になる。
【００２８】
かくして、 折上がったトレー２００は、必要して十分な構造強度を備えることになる。
そして、トレー２００の上縁の四隅には係止片１５が突出し、底面の四隅には、この係止片１５を係合させる切欠部１６，１６ａが形成されているので、段積したトレー２００の運搬・取扱中に、トレー相互がずれ動く恐れを確実に無くすことが出来る。
【００２９】
又、トレー２００の外周面には、嵌合式の組立構造に由来する、邪魔な突出部分が全く無いので、多段積したトレー２００に梱包バンドを十文字状に掛ける際に、所望の箇所に適確にバンド掛けを行うことが出来るばかりでなく、商品としてのトレー２００の外観をスッキリさせることが出来る。
【００３０】
或は、左右側壁２，３を夫々二枚重ねすることによって、トレー２００の構造強度が大幅に高められことは勿論、段ボール１００に片面印刷するだけで、折上がったトレー２００の側壁の外周面全てを、印刷面にすることが出来る。
【００３１】
尚、この苺パック用トレーの使途は、必ずしも苺パック用に限られず、各部分の寸法を適宜に変えて、別の目的に使っても勿論よい。
又、通気性の向上や材料節約等の為に、横仕切１０，１１と、縦仕切６，７との夫々の高さ寸法を相異させてもよい。そして、中央面１には、３枚以上の横仕切を形成させることも可能である。
【００３２】
【発明の効果】
以上の説明によって明らかな様に、本発明による苺パック用トレーは、以下に列挙した如き実用上の様々の優れた効果を奏する。
（ａ）  一枚の段ボールを、折り目に沿って折曲させるだけで、中仕切を一体に備えた箱状のトレーを簡単・迅速に折上げられる。
（ｂ） 十文字形の中仕切の各側端の総てを、トレーの各側壁面に確実に係止させられる。
（ｃ） 縦・横仕切の噛合箇所も、係合構造にすることが出来る。
（ｄ） 更に、トレーの底面も、係止突片によって、抜け落ちを確実に防げる。
（ｅ）  従って、折上がったトレーの構造強度を十分に高められる。
（ｆ）  嵌合方式で折上げられるにも拘わらず、トレーの外周壁には、嵌合構造に由来する突出部分が存在しないので、多段積したトレーにバンドを掛け易く、
又、トレーの外観がスッキリし、外形も無益に嵩張らない。
【図面の簡単な説明】
【図１】本発明の一実施例を示すもので、トレーを１枚の段ボールに展開した状態の平面図である。
【図２】同上、段ボールの斜視図である。
【図３】同上、段ボールからトレーを折上げ始めた状態を示す斜視図である。
【図４】同上、トレーが略折上がった状態を示す斜視図である。
【図５】同上、折上がったトレーの斜視図である。
【符号の説明】
１００  段ボール
２００  トレー
１  中央面
２，３  左右側壁
４，５  一半側底面
６，７  縦仕切
８，９  前後側壁
１０，１１  横仕切
１２  切起用切れ目
１３  起立用補助片
１４  Ｌ字形切れ目
１５  係止片
１６，１６ａ  切欠部
１７，１８  嵌合用切れ目
１７ａ  拡径部
２０  係止突片
２１  切欠部
３０  係止片
３１  係止孔
３２  切欠部
３３  突片
３４  切欠部
３５  突片
３６  通気用切欠
Ａ  主折り目
Ｂ  ２つ折用折り目
Ｃ，Ｄ，Ｆ，Ｇ  折り目
Ｅ  斜折り目
Ｋ  ミンシ目
【図１】
0003773621.tif 000002
【図２】
0003773621.tif 000003
【図３】
0003773621.tif 000004
【図４】
0003773621.tif 000005
【図５】
0003773621.tif 000006